【手続補正書】
【提出日】平成18年3月1日(2006.3.1)
【手続補正１】
【補正対象書類名】明細書
【補正対象項目名】特許請求の範囲
【補正方法】変更
【補正の内容】
【特許請求の範囲】
【請求項１】
紙幣受入装置(10)に着脱可能であり、かつ、受け入れた紙幣を内蔵する押込装置(50)により保留部（42）に押し込んで積層状態に収納する紙幣収納ボックス(16)、前記紙幣収納ボックス(16)を構成する一面(134)に配置された導光体(124，164，194，234，274)の受光面（130，180，214，254，294）と投光面（132，184，220，260，300）、
前記紙幣受入装置に装着され、前記受光面に相対する投光部(144，168，198，238，278)および前記投光面に相対する受光部（146，170，200，240，280）、
を含む紙幣収納装置における状態検知装置。
【請求項２】
前記導光体(164，194，234，274)は、前記紙幣収納ボックス(16)内の被検知部に相対して位置する前記受光面に相対する検知投光面(183，218，258，298)と前記投光面に相対する検知受光面(186，224，264，304)、
を含む請求項1の紙幣収納装置における状態検知装置。
【請求項３】
前記導光体(164)の検知投光面(183)と検知受光面（186）が紙幣収納ボックス内の紙幣移動通路(75)の一側に位置し、これに相対して紙幣移動通路(75)の反対側に配置した反射体(166)とで紙幣位置検知装置(114)を構成する請求項１の紙幣収納装置における状態検知装置。
【請求項４】
前記導光体(194)の検知投光面(218)と検知受光面（224）が紙幣収納ボックス内の
押込装置の待機位置に相対して配置されて待機位置検知装置(116)を構成している請求項２の紙幣収納装置における状態検知装置。
【請求項５】
前記導光体(234)の検知投光面(258)と検知受光面（264）が紙幣収納ボックス内の
押込装置の押込位置に相対して配置されて押込位置検知装置(118)を構成している請求項２の紙幣収納装置における状態検知装置。
【請求項６】
前記導光体(274)の検知投光面(298)と検知受光面（304）が紙幣収納ボックス内の
フル収納量位置に相対して配置されて収納量検知装置(118)を構成している請求項２の紙幣収納装置における状態検知装置。
【請求項７】
前記導光体(124，164，194，234，274)が導光性樹脂により成型されている請求項１の紙幣収納装置における状態検知装置。
【請求項８】
前記導光性樹脂がアクリル樹脂である請求項７の紙幣収納装置における状態検知装置。
【請求項９】
前記導光体が門形をしており、それの柱部の先端面が向かい合う斜面に形成されて反射面(216，256，296，222，262，302)を形成し、前記反射面の側方の柱部側面が検知投光部(218，258，298)および検知受光部(224，264，304)であり、前記反射面に相対する端面に投光面（220，260，300）と受光面(214，254，294)が位置している請求項２の紙幣収納装置における状態検知装置。
【請求項１０】
前記一面(134）に全ての導光体の受光面と投光面を配置した請求項１の紙幣収納装置における状態検知装置。
【請求項１１】
前記投光部(144，168，198，238，278)は、ほぼ垂直に伸びるシリンダ(150，172，202，242，282)の上端部に固定された発光素子(145，169，199，239，279)を含み、前記受光部(146，170，200，240，280)は、ほぼ垂直に伸びるシリンダ(152，174，204，244，284)の上端部に固定された受光素子(147，171，201，241，281)を含む請求項１の紙幣収納装置における状態検知装置。
【請求項１２】
前記投光部(144，168，198，238，278)は、シリンダ(150，172，202，242，282)の下面からシリンダの直径以上上方に配置され、前記受光部(146，170，200，240，280)は、シリンダ(152，174，204，244，284)の下面からシリンダの直径以上上方に配置されている請求項１１の紙幣収納装置における状態検知装置。
【手続補正２】
【補正対象書類名】明細書
【補正対象項目名】０００６
【補正方法】変更
【補正の内容】
【０００６】
この目的を達成するため、本発明は以下のように構成されている。
紙幣受入装置に着脱可能であり、かつ、受け入れた紙幣を内蔵する押込装置により保留部に押し込んで積層状態に収納する紙幣収納ボックス、前記紙幣収納ボックスを構成する一面に配置された導光体の受光面と投光面、前記紙幣受入装置に装着され、前記受光面に相対する投光部および前記投光面に相対する受光部、を含む紙幣収納装置における状態検知装置である。
【手続補正３】
【補正対象書類名】明細書
【補正対象項目名】００１０
【補正方法】変更
【補正の内容】
【００１０】
本発明は、前記導光体が、前記紙幣収納ボックス内の被検知部に相対して位置する前記受光面に相対する検知投光面と前記投光面に相対する検知受光面を含むことが好ましい。
【手続補正４】
【補正対象書類名】明細書
【補正対象項目名】００２３
【補正方法】変更
【補正の内容】
【００２３】
本発明は、前記投光素子が、シリンダの下面からシリンダの直径以上上方に配置され、前記受光素子は、シリンダの下面からシリンダの直径以上上方に配置されていることが好ましい。
この構成において、投受光素子はシリンダの下面からシリンダの直径よりも上方に配置されている。
実験によれば、上端が閉止された空間であってもその入口付近には僅かに上昇気流が入り込む。
しかし、シリンダ内壁の抵抗などによって下面開口からシリンダの直径よりも
上方までは達成しない。
したがって、投受光素子に塵埃が付着することを防止できる。
【手続補正５】
【補正対象書類名】明細書
【補正対象項目名】００２５
【補正方法】変更
【補正の内容】
【００２５】
図１に示すように、紙幣受入装置１０は、前方上部に紙幣識別装置１２が配置され、その後方の金庫エリア１４に紙幣収納ボックス１６が挿入され、ロック装置(図示せず)でロックされる。
この紙幣受入装置１０は、自動販売機や両替機等に内蔵され、紙幣識別装置１２の紙幣ガイド１８のみが内蔵される機器の外側に配置される。
【手続補正６】
【補正対象書類名】明細書
【補正対象項目名】００３０
【補正方法】変更
【補正の内容】
【００３０】
しかし、プーリ68および70間のタイミングベルト74は、逃げることができるので、右上面64に接触していてもよい。
これらタイミングベルト74の下面と右上面64と左上面60で挟まれたエリアが紙幣移動通路75である。
タイミングプーリ68に相対して保留ボックス22の上向き傾斜面56に押さえローラ77が配置され、その周面がタイミングベルト74に弾性的に接触している。これにより、出口52から送り出される紙幣をタイミングベルト74の下面と押さえローラ77とで挟んで紙幣収納ボックス16の内部に引き込むとともに、タイミングベルト74の下面との摩擦力で右上面64と左上面60にガイドさせつつ紙幣を紙幣収納ボックス16の内方に搬送する。
したがって、紙幣搬送装置48は、紙幣を左天板28および右天板30に沿って搬送する機能を有しており、同一機能を有する他の機構に変更することが出来る。
【手続補正７】
【補正対象書類名】明細書
【補正対象項目名】００３３
【補正方法】変更
【補正の内容】
【００３３】
次に図2を参照して駆動装置80を説明する。
軸88の左側端部にセクタギヤ108が固定され、減速歯車機構8を介して紙幣受入装置10の駆動モータに固定された駆動ギヤ9に駆動連結されている。
すなわち、駆動ギヤ9の反時計方向の回転によってセクタギヤ108は反時計方向へ回動されてプッシャ76を上方へ移動させる。
最も上方に移動した場合、プッシャ76の下面は紙幣移動通路75よりも反紙幣保留部42側、すなわち紙幣移動通路75よりも上方に位置する。
【手続補正８】
【補正対象書類名】明細書
【補正対象項目名】００４３
【補正方法】変更
【補正の内容】
【００４３】
次に紙幣位置検知装置１１４を図6を参照して説明する。
紙幣位置検知装置１１４は紙幣識別装置１２で真紙幣として識別された紙幣が、紙幣収納ボックス１６の紙幣移動通路７５の収納位置に達したことを検知する機能を有している。
すなわち、受け入れた紙幣の後端が紙幣入口５８よりも入ったことを検知して、紙幣搬送装置48を停止するためのものである。
【手続補正９】
【補正対象書類名】明細書
【補正対象項目名】００４４
【補正方法】変更
【補正の内容】
【００４４】
紙幣位置検知装置１１４は、紙幣投受光部１６２、紙幣導光体１６４および反射体１６６を含んでいる。
紙幣投受光部１６２は、投光部１６８と受光部１７０を含んでいる。
投光部１６８は、発光素子１６９がシリンダ１７２に挿入されている。
受光部１７０は、発光素子１７１がシリンダ１７４に挿入されている。
これら投光部１６８および受光部１７０の構造は、前記収納ボックス検知装置１１２の投光部１４４および受光部１４６と同様である。
投受光部１６２に相対して紙幣導光体１６４が天板１２６の裏面にブラケット(図示せず)により固定されている。
【手続補正１０】
【補正対象書類名】明細書
【補正対象項目名】００４６
【補正方法】変更
【補正の内容】
【００４６】
検知投光面１８３と検知受光面１８６は、紙幣入口５８近くの紙幣移動通路７５の上方の左ベルトユニット６２と右ベルトユニット６６との間において、紙幣の移動方向に対し直交方向に並置されている。
また、紙幣反射体１６６は、紙幣移動通路７５の下方の紙幣案内部１８８の段部(図示せず)に、紙幣反射体１６６に形成した爪(図示せず)を係止することによって固定してある。
したがって、紙幣移動通路７５が被検知部である。
反射体１６６は、ボックス反射体１２４と同様に第１反射面１９０および第２反射面１９２を有しており、第１反射面１９０は検知投光面１８３に相対し、第２反射面１９２は検知受光面１８６に相対している。
また、ボックス反射体１２４と同様に第１反射面１９０と第２反射面１９２は、向かい合って配置されている。
【手続補正１１】
【補正対象書類名】明細書
【補正対象項目名】００４８
【補正方法】変更
【補正の内容】
【００４８】
紙幣が紙幣移動通路７５に存在する場合、検知投光面１８３から投射される光は紙幣によって遮られて受光素子１７１に受光されることはない。
したがって、受光素子１７１が無受光状態を所定時間継続した後、再受光した場合、紙幣の後端が紙幣位置検知装置１１４の下方に位置するものと判別できる。
よって、この再受光を判別して紙幣搬送装置４８の作動を停止することにより、紙幣を保留部４２に押し込めるために適した位置に停止させることができる。
【手続補正１２】
【補正対象書類名】明細書
【補正対象項目名】００４９
【補正方法】変更
【補正の内容】
【００４９】
次に紙幣押込装置５０の待機位置検知装置１１６を図８を参照して説明する。
待機位置検知装置１１６は、待機投受光部１９３、待機導光体１９４および待機検知片１９６を含んでいる。
待機投受光部１９３は、投光部１９８と受光部２００を有している。
投光部１９８の発光素子１９９は、シリンダ２０２に挿入されている。
受光部２００の受光素子２０１は、シリンダ２０４に挿入されている。
これら投光部１９８と受光部２００の構造は、前記収納ボックス検知装置１１２の投光部１４４および受光部１４６と同様である。
【手続補正１３】
【補正対象書類名】明細書
【補正対象項目名】００５１
【補正方法】変更
【補正の内容】
【００５１】
投導光体２０６の上端面が受光面２１４であり、反射面２１６は受光面２１４の延長線に対して４５度の角度で傾斜しており、その側面が検知投光面２１８である。
受導光体２０８の上端面が投光面２２０であり、反射面２２２は投光面２２０の延長線に対して４５度の角度で傾斜しており、その側面が検知受光面２２４である。
ボックス導光体１２４と同様に反射面２１６と反射面２２２は、向かい合って配置されている。
検知投光面２１８と検知受光面２２４は平行に垂直方向に伸び、それらの間に検知エリア２２６を構成している。
この検知エリア２２６が被検知部である。
したがって、発光素子１９９から投射された光は、受光面２１４から投導光体２０６に進行して反射面２１６によって横方向に反射され、検知投光面２１８から検知エリア２２６を横断して検知受光面２２４から受導光体２０８に入る。
受導光体２０８内の光は、反射面２２２に反射されて上方に向かい、投光面２２０から出て受光素子２０１に入光する。
【手続補正１４】
【補正対象書類名】明細書
【補正対象項目名】００５２
【補正方法】変更
【補正の内容】
【００５２】
待機検知片１９６は、プッシャ７６の紙幣識別装置１２側端部の上面に垂直に固定され、プッシャ７６が待機位置にあるとき、検知エリア２２６に位置し、前記光を遮断する。
したがって、受光素子２０１が受光しない場合、プッシャ７６が待機位置にあるものと判別する。
プッシャ７６が待機位置になったことを検知して、モータ、したがって、駆動ギヤ９の回転を停止して待機位置に保持する。
【手続補正１５】
【補正対象書類名】明細書
【補正対象項目名】００５３
【補正方法】変更
【補正の内容】
【００５３】
次に、押込位置検知装置１１８を図４及び図９を参照して説明する。
押込位置検知装置１１８は、押込投受光部２３２、押込導光体２３４および押込検知片２３６を含んでいる。
押込投受光部２３２は、投光部２３８と受光部２４０を有している。
投光部２３８は、発光素子２３９がシリンダ２４２に挿入されている。
受光部２４０は、受光素子２４１がシリンダ２４４に挿入されている。
これら投光部２３８と受光部２４０の構造は、前記収納ボックス検知装置１１２の投光部１４４および受光部１４６と同様である。
【手続補正１６】
【補正対象書類名】明細書
【補正対象項目名】００５５
【補正方法】変更
【補正の内容】
【００５５】
投導光体２４６の上端面が受光面２５４であり、反射面２５６は受光面２５４の延長線に対して４５度の角度で傾斜しており、その側面が検知投光面２５８である。
受導光体２４８の上端面が投光面２６０であり、反射面２６２は投光面２６０の延長線に対して４５度の角度で傾斜しており、その側面が検知受光面２６４である。
検知投光面２５８と検知受光面２６４は平行に垂直方向に伸び、それらの間に検知エリア２６６を構成している。
この検知エリア２６６が被検知部である。
反射面２５６と２６２は互いに向かい合っている。
したがって、発光素子２３９から投射された光は、受光面２５４から投導光体２４６に進行して反射面２５６によって横方向に反射され、検知投光面２５８から押込検知エリア２６６を横断して検知受光面２６４から受導光体２４８に入る。
受導光体２４８内の光は、反射面２６２に反射されて上方に向かい、投光面２６０から出て受光素子２４１に入光する。
【手続補正１７】
【補正対象書類名】明細書
【補正対象項目名】００５６
【補正方法】変更
【補正の内容】
【００５６】
押込検知片２３６は、伸縮装置７８の軸１０２に固定され、一体にスライドし、プッシャ７６が最も押し込んだ押込位置(最下位置)にあるとき、検知エリア２６６に位置し、前記光を遮断する。
したがって、受光素子２４１が受光しない場合、プッシャ７６が押込位置にあるものと判別する。
プッシャ７６が押込位置にあることが判別された場合、モータ、したがって駆動ギヤ９は時計方向の回転が停止された後、反時計方向に回転される。
これにより、プッシャ７６は押込位置から待機位置に向かって移動する。
【手続補正１８】
【補正対象書類名】明細書
【補正対象項目名】００６１
【補正方法】変更
【補正の内容】
【００６１】
このとき、収納検知片２７６は、収納検知エリア３０６に位置し、発光素子２７９からの光を遮断する。
支持板３８が収納された紙幣によって下方へ移動された場合、下端部３１４が支持板３８によって押し下げられ、収納検知片２７６が収納検知エリア３０６から退出する。
したがって、受光素子２８１が受光している場合、支持板３８がフル位置にあるものと判別する。
なお、紙幣を紙幣保留部４２に押し込む場合、プッシャ７６は所定量紙幣保留部４２に進出する。
よって、紙幣収納量がフル状態であることの判別は、プッシャ７６が押込位置にあるとき紙幣収納量が所定量以上である場合に行う。
換言すると、押込位置検知装置１１１８が押込検知片２３６を検知し、かつ、収納量検知装置１２０が収納検知片２７６を検知しない場合、紙幣の収納量がフル状態であると判別する。
【手続補正１９】
【補正対象書類名】図面
【補正対象項目名】図１
【補正方法】変更
【補正の内容】
【図１】
2004272815.tif 000001
【手続補正２０】
【補正対象書類名】図面
【補正対象項目名】図２
【補正方法】変更
【補正の内容】
【図２】
2004272815.tif 000002
【手続補正２１】
【補正対象書類名】図面
【補正対象項目名】図８
【補正方法】変更
【補正の内容】
【図８】
2004272815.tif 000003
【手続補正２２】
【補正対象書類名】図面
【補正対象項目名】図１０
【補正方法】変更
【補正の内容】
【図１０】
2004272815.tif 000004